(57)【特許請求の範囲】
【請求項１】
入力された符号化デジタル信号を復号するデコード手段と、
該復号されたデジタル信号を前記入力された符号化デジタル信号と同等またはそれより低いレートで再符号化するエンコード手段と、
該エンコード手段からの出力信号と前記デコード手段への入力信号とを選択する選択手段と、
該選択手段で選択された信号に時刻情報を付加しトランスポートストリームを生成するトランスポートストリーム生成手段と、
該トランスポートストリーム生成手段で得られたトランスポートストリームをランダムアクセス可能な記録媒体に記録する記録手段と、を具備し、
更に、アナログ信号入力手段と、
入力されたアナログ信号をデジタル信号に変換する入力インターフェース手段と、
入力インターフェース手段で得られたデジタル信号と前記デコード手段で得られたデジタル信号とを選択し、選択した出力を前記エンコード手段に入力する第２の選択手段と、
を具備することを特徴とするデジタル信号記録装置。
【発明の詳細な説明】
【０００１】
【発明の属する技術分野】
本発明は、デジタル信号の入力装置を備えた記録装置に関し、例えば、磁気ディスクなどの記録媒体にストリームを記録することが可能な記録装置に関する。
【０００２】
【従来の技術】
近年、映像、音声を扱うマルチメディアの発展が目覚ましく、その映像、音声信号の圧縮に関する規格であるＭＰＥＧ２規格に準拠して、データを保存、または転送することが可能な映像、音声機器が多く出回ってきている。
【０００３】
そして、Ｄ−ＶＨＳに代表されるような、ＭＰＥＧ２トランスポートストリーム（以下、ＴＳと称する）を記録する記録装置もその一つであり、Ｄ−ＶＨＳの用途の一例として図４に示すようにＢＳ−ＳＴＢ（セットトップボックス）２００とＤ−ＶＨＳ２０１を１３９４ケーブル２０２で接続した場合が考えられる。
【０００４】
前述のＢＳ−ＳＴＢ２００のようなＩＲＤ（Ｉｎｔｅｇｒａｔｅｄ  Ｒｅｃｅｉｖｅｒ−Ｄｅｃｏｒｄｅｒ）と呼ばれる受信機は、受信時にチューナで伝送キャリアを選択し、１つのＴＳを選び、さらにユーザが選択したプログラム（チャンネル）に対応するＴＳパケットを抽出する。ＩＲＤの多くの機種は、抽出したＴＳパケットを図示しないデジタルＩ／Ｆ回路を介し外部に出力することが可能であり、デジタル記録に利用される。すなわち、ＢＳ−ＳＴＢ２００が、１３９４ケーブル２０２を介しＴＳパケットを出力することが可能であるならば、前記ＢＳ−ＳＴＢ２００が受信した放送をＤ−ＶＨＳ２０１でストリーム記録することが可能であり、そのときのＤ−ＶＨＳ２０１における信号の流れを図５に示す。
【０００５】
図５において、記録装置２０３は、Ｄ−ＶＨＳ２０１のデジタル入力における記録部の構成を示しており、デジタル入力端子１０１と、デジタルＩ／Ｆ回路１０２と、デコーダ回路１０３と、ＴＳ処理回路１０８と、記録回路１０９と、出力処理回路１１２と、出力端子１１３で構成されている。
【０００６】
デジタル入力端子１０１から入力されたＴＳは、デジタルＩ／Ｆ回路１０２を通り、ＴＳ処理回路１０８でタイムスタンプを付加され、記録回路１０９を介し、記録媒体１１１にストリーム記録される。つまり、記録媒体１１１への記録レートは、デジタル入力端子１０１に入力されるレート、すなわち放送のＴＳのレートとなる。また、デジタルＩ／Ｆ回路１０２から出力されるストリームは、デコーダ回路１０３へも与えられ、デコーダ回路１０３にてデコードされたビデオデータ及びオーディオデータは、出力処理回路１１２において出力処理され出力端子１１３を介し、映像、音声信号として出力される。この出力は例えばモニタへの出力に相当する。
【０００７】
ここで、デコーダ回路１０３は、図８に示すように、システムデコーダ１１４と、ビデオデコーダ１１５と、オーディオデコーダ１１６とで構成されている。入力されたＴＳは、そのヘッダ情報をシステムデコーダ１１４にて解析後、デマルチプレクスされ、映像信号はビデオデコーダ１１５でデコード後ビデオデータとして出力され、音声信号はオーディオデコーダ１１６でデコード後オーディオデータとして出力される。
【０００８】
また、ＴＳ処理回路１０８は、入力されたストリームに入力時と同じ間隔で再送出するためのタイムスタンプを付加する回路であり、ＴＳ処理回路１０８から出力されるＴＳパケットは、図９に示すように例えば６バイトのタイムスタンプパケットを付加して１９４バイトとなる。
【０００９】
記録回路１０９は、図示しないＥＣＣ（Ｅｒｒｏｒ  Ｃｏｒｒｅｃｔｉｏｎ  Ｃｏｄｅ）回路、変復調回路などから構成され、記録媒体１１１に記録する機能を持っている。
【００１０】
一方、図６に示すように、ＩＲＤがＤ−ＶＨＳ２０１へアナログ接続することを考える。図６において、ＢＳ−ＳＴＢ２０４は、例えばデジタル出力手段を持たないＩＲＤであり、ＢＳ−ＳＴＢ２０４内の図示しないアナログＩ／Ｆ及び、アナログケーブル２０５を介し、Ｄ−ＶＨＳ２０１と接続している。このときのＤ−ＶＨＳ２０１における信号の流れを図７に示す。
【００１１】
図７において、記録装置２０６は、Ｄ−ＶＨＳ２０１のアナログ入力における記録部の構成を示しており、アナログ入力端子２０７と、アナログＩ／Ｆ回路２０８と、エンコーダ回路１０６と、ＴＳ処理回路１０８と、記録回路１０９とで構成されている。
【００１２】
アナログ入力端子２０７から入力された映像、または音声のアナログデータは、アナログＩ／Ｆ回路２０８を介し、エンコーダ回路１０６へ入力される。エンコーダ回路１０６では、入力されたデータをエンコードし、ＴＳ処理回路１０８にて所望のタイムスタンプ付加後、ＴＳとして記録回路１０９を介して記録媒体１１１に記録される。
【００１３】
ここで、エンコーダ回路１０６は、図１０に示すようにシステムエンコーダ１１７と、ビデオエンコーダ１１８と、オーディオエンコーダ１１９とで構成されている。入力されたビデオデータまたはオーディオデータは、各々ビデオエンコーダ１１８またはオーディオエンコーダ１１９にてエンコードされ、システムエンコーダ１１７でマルチプレクス後、ヘッダを付加しＴＳとして出力される。
【００１４】
このように、既存のＤ−ＶＨＳは、アナログ入力もデジタル記録するためのエンコーダ回路及び、アナログ出力を行うためのデコード回路を搭載するのが一般的である。そして、アナログ入力であれば、エンコーダ回路によりレート制限してエンコードすることで、後述する長時間録画が可能である。
【００１５】
従って、既存のＤ−ＶＨＳにおける記録部の構成は、図１１に示した記録装置２０９のようになる。記録装置２０９は、図５及び図７に示した記録装置２０３及び２０６を合わせたものであり、デジタル入力端子及びアナログ入力端子を持つ。すなわち、デジタル入力端子１０１と、デジタルＩ／Ｆ回路１０２と、デコーダ回路１０３と、アナログ入力端子２０７と、アナログＩ／Ｆ回路２０８と、エンコーダ回路１０６と、選択回路１０７と、ＴＳ処理回路１０８と、記録回路１０９と、コントローラ回路１１０と、出力処理回路１１２と、出力端子１１３で構成されている。
【００１６】
デジタル入力端子より得られるストリームを記録するのであれば、デジタル入力端子１０１から入力されたＴＳは、デジタルＩ／Ｆ回路１０２を通り、選択回路１０７における１０７ｂへ入力される。
【００１７】
一方、アナログ信号で入力される映像、音声を記録するのであれば、アナログ入力端子２０７から入力された映像、または音声のアナログデータは、アナログＩ／Ｆ回路２０８を介し、エンコーダ回路１０６へ入力され、エンコーダ回路１０６の出力が選択回路１０７における１０７ａへ入力される。
【００１８】
選択回路１０７では、コントローラ回路１１０により制御され、デジタル入力を記録するのであれば１０７ｂ、アナログ入力を記録するのであれば１０７ａを選び、その出力はＴＳ処理回路１０８でタイムスタンプを付加され、記録回路１０９を介し、記録媒体１１１にストリーム記録される。
【００１９】
ところで、前述のデジタル入力の記録とアナログ入力の記録との違いは、デジタル入力では一度アナログに変換しないため記録時の画質の劣化を避けることが可能であるという点である。そのため、近年開始されたＢＳデジタル放送などのデジタル放送をユーザが記録する場合、ＩＲＤにデジタル出力手段が付加されているのならば、当然、図４のように１３９４ケーブルでＤ−ＶＨＳと接続することになる。
【００２０】
【発明が解決しようとする技術】
しかしながら、デジタル入力では、前述するように放送のＴＳのレートで記録するため、長時間録画に対応していないという問題がある。また、アナログ入力であれば、長時間録画には対応しているが、一度、ＩＲＤにおいてアナログに戻しているため、画質が劣化してしまうという問題がある。
【００２１】
ここで、上述の長時間録画とは、入力されたビットレートで記録した場合と比較して、ビットレートを変換することにより例えば３倍長い時間、録画できる録画手段のことである。
【００２２】
本発明はかかる問題点に鑑みてなされてものであり、高画質、高音質で記録する場合は、従来通りＴＳを変換することなく記録し、長時間記録したい場合は、アナログ入力を使用することなく、既存のエンコーダ回路またはデコーダ回路を利用し、低ビットレートで記録することを目的とする。
【００２３】
【課題を解決するための手段】
上記課題を解決するため、本発明は以下のような手段を講じた。
【００２４】
即ち、本発明のデジタル信号記録装置は、入力された符号化デジタル信号を復号するデコード手段と、該復号されたデジタル信号を前記入力された符号化デジタル信号と同等またはそれより低いレートで再符号化するエンコード手段と、  該エンコード手段からの出力信号と前記デコード手段への入力信号とを選択する選択手段と、該選択手段で選択された信号に時刻情報を付加しトランスポートストリームを生成するトランスポートストリーム生成手段と、該トランスポートストリーム生成手段で得られたトランスポートストリームをランダムアクセス可能な録媒体に記録する記録手段と、を具備するようにし、
更に、アナログ信号入力手段と、入力されたアナログ信号をデジタル信号に変換する入力インターフェース手段と、入力インターフェース手段で得られたデジタル信号と前記デコード手段で得られたデジタル信号とを選択し、選択した出力を前記エンコード手段に入力する第２の選択手段と、を具備するようにした。
【００３１】
【発明の実施の形態】
以下、本発明の第１の実施形態について、図面を参照しながら説明する。図１は、本発明に係る記録装置の一実施の形態を表すブロック図である。なお、前記従来例と同じ機能を持つものは同一の符号を付して説明し、詳細な説明は省略する。
【００３２】
図１において、記録装置１００は、ＴＳが入力されるデジタル入力端子１０１と、デジタルＩ／Ｆ回路１０２と、デコーダ回路１０３と、選択回路１０５と、エンコーダ回路１０６と、選択回路１０７と、ＴＳ処理回路１０８と、記録回路１０９と、コントローラ回路１１０と、アナログＩ／Ｆ回路２０８と、出力処理回路１１２と、出力端子１１３で構成されている。
【００３３】
デジタル入力端子１０１から入力されたＴＳは、デジタルＩ／Ｆ回路１０２を介し、選択回路１０７へ出力されるが、その系は２通りある。１つ目は、デジタルＩ／Ｆ回路１０２の出力が直に、選択回路１０７における１０７ｂへ入力される場合、２つ目は、デジタルＩ／Ｆ回路１０２の出力がデコーダ回路１０３においてデコード後、選択回路１０５を経てエンコーダ回路１０６でビットレート制限して再エンコードされ、選択回路１０７における１０７ａに入力される場合である。
【００３４】
前者が、従来における記録方式に相当し、ビットレート変換することなしに記録する場合であり、後者が、本発明において新たに設けた選択回路１０５によりビットレート変換したストリームを記録する場合である。
【００３５】
すなわち、長時間録画時は、コントローラ回路１１０が選択回路１０５の１０５ｂ側を選択し、且つ、選択回路１０７の１０７ａ側を選択することにより、デコーダ回路１０３においてデコード後、エンコーダ回路１０６にて低ビットレートに制限して再エンコードしたストリームを記録する。
【００３６】
また、本発明の実施形態によればビッタリ録画も可能となる。ピッタリ録画とは、例えば録画スタート時は、ビットレート変換無しで記録し、記録媒体の残量が残り少なくなり、ビットレート変換無しの状態では、録画途中で記録媒体の残量が０になると判断したとき、ビットレートを落として記録する手段のことである。
【００３７】
従来、記録媒体にテープを使用して、ストリーム記録を行うＤ−ＶＨＳのような機種で前述したピッタリ録画を実現しようとすると、ビットレート切り換え時にノイズが入るという問題があった。しかし、今日では大容量のディスクメディアが出現し、ディスクへの記録では上記の問題が生じないため、ピッタリ録画の実現に問題はなくなってきている。
【００３８】
つまり、ビッタリ録画時は、記録当初はコントローラ回路１１０が選択回路１０７の１０７ｂ側を選択することにより、デジタルＩ／Ｆ回路１０２の出力を記録し、記録媒体の残量が残り少なくなった場合に、コントローラ回路１１０が選択回路１０５の１０５ｂ側を選択し、且つ、選択回路１０７の１０７ａ側を選択することにより、前述するように低ビットレートに制限して再エンコードしたストリームを記録する。ここで、選択回路１０５または選択回路１０７における切り替えの判断は、図示しないマイコンが記録媒体の残量を自動的に計算するか、もしくはユーザが選択することによりなされる。
【００３９】
このようにして、本発明の第１の実施形態によると、既存のデコーダ回路、エンコーダ回路を利用することにより、入力されたデジタル信号をデコードし、ビットレート制限して再エンコードするパスをつくることが可能で、長時間録画または、ピッタリ録画が可能となり、ビットレート制限して再エンコードするパスを通る際もアナログ信号に戻すわけではないため、画質劣化が少ない。
【００４０】
次に、本発明の第２の実施形態について、図２及び図３を用いて説明する。図２は、本発明に係る記録装置の一実施の形態を表すブロック図である。なお、前記従来例もしくは前記第１の実施形態と同じ機能を持つものは同一の符号を付して説明し、詳細な説明は省略する。
【００４１】
図２において、記録装置１２０は、ＴＳが入力されるデジタル入力端子１０１と、デジタルＩ／Ｆ回路１０２と、デコーダ回路１０３＃と、ビットレート変換回路１０４と、エンコーダ回路１０６と、選択回路１０７＃と、ＴＳ処理回路１０８と、記録回路１０９と、コントローラ回路１１０と、アナログＩ／Ｆ回路２０８と、出力処理回路１１２と、出力端子１１３で構成されている。
【００４２】
デジタル入力端子１０１から入力されたＴＳは、デジタルＩ／Ｆ回路１０２を介し、選択回路１０７＃へ出力されるが、その系は２通りある。１つ目は、デジタルＩ／Ｆ回路１０２の出力が直に、選択回路１０７＃における１０７＃ｂへ入力される場合、２つ目は、デジタルＩ／Ｆ回路１０２の出力がデコーダ回路１０３＃においてデコード後、ビットレート変換回路１０４でビットレート変換され、選択回路１０７＃における１０７＃ｃに入力される場合である。
【００４３】
前者が、従来における記録方式に相当し、ビットレート変換することなしに記録する場合であり、後者が、本発明において新たに設けたビットレート変換回路１０４と選択回路１０７＃によりビットレート変換したストリームを記録する場合である。
【００４４】
すなわち、長時間録画時は、コントローラ回路１１０が選択回路１０７＃の１０７＃ｃ側を選択することにより、デコーダ回路１０３＃においてデコード後、ビットレート変換回路１０４にてビットレートを落としたストリームを記録する。また、ビッタリ録画時も、記録当初はコントローラ回路１１０が選択回路１０７＃の１０７＃ｂ側を選択することにより、デジタルＩ／Ｆ回路１０２の出力を記録し、記録媒体の残量が残り少なくなった場合に、コントローラ回路１１０が選択回路１０７＃の１０７＃ｃ側を選択することにより、前述するようにビットレート落としたストリームを記録する。
【００４５】
ここで、ビットレート変換回路１０４へ出力するデコーダ回路１０３＃の出力は、図３のａに示すように、ビデオデコーダ１１５＃またはオーディオデコーダ１１６＃のデコードの中間段階のストリームであり、ベースバンド信号にデコードする前、例えば、ＤＣＴ（Ｄｉｓｃｒｅｔｅ  Ｃｏｓｉｎｅ  Ｔｒａｎｓｆｏｒｍ）処理前のストリームが相当する。つまり、長時間録画モードでは、デコーダ回路１０３＃から出力されるＤＣＴ処理前のストリームをビットレート変換回路１０４でビットレート変換を行い、ＴＳ処理回路１０８でタイムスタンプ付加後、記録回路１０９を介し記録媒体１１１に記録される。
【００４６】
このようにして、本発明の第２の実施形態によると、既存のデコーダ回路を利用することにより、入力されたデジタル信号のデコード途中のストリームに対しビットレート変換することが可能であり、長時間録画または、ピッタリ録画が可能となる。
【００４７】
また、第１の実施形態同様、アナログ信号に戻すわけではないため、画質劣化が少ない。
【００４８】
なお、記録媒体１１１には前述するようにテープメディアよりもディスクメディアが適当である。なぜならピッタリ録画は、録画途中で長時間録画モード（長時間録画を可能にするためビットレートを落としたモード）と標準モード（ビットレート変換を行わないモード）を切り換えるため、その切り換え時のノイズを考慮するとランダムアクセスが可能なディスクメディアが適当と考えられる。
【００４９】
しかしながら、本発明の記録装置が対象とする記録媒体をディスクメディアに限定するわけではない。例えば、前述のピッタリ録画に対応せず、長時間録画のみ対応するような記録装置であり、録画中に長時間録画モードと標準モードの切り替えを行うことがなければテープメディアを使用した記録装置でも問題ない。
【００５０】
【発明の効果】
以上説明したように、本発明によれば、既存のデコーダ回路、エンコーダ回路を利用することにより、入力されたデジタル信号をデコードし、ビットレート制限して再エンコードしたストリームを記録することが可能である。
【００５１】
また、既存のデコーダ回路を利用し、入力されたデジタル信号をデコードし、ビットレート変換回路でビットレートを落としたストリームを記録することが可能であるため、デジタル信号の入力時にも長時間録画が可能となる。
加えて、記録媒体としてディスクメディアのようなランダムアクセス可能な記録媒体を使用することにより、ビットレート切り換え時にノイズが入ることなくピッタリ録画が可能となる。
【００５２】
また、ビットレートを制限して再エンコードするパスを通る際もアナログ信号に戻すわけではないため画質劣化が少ない。
【図面の簡単な説明】
【図１】本発明の第１の実施形態における記録装置のブロック図である。
【図２】本発明の第２の実施形態における記録装置のブロック図である。
【図３】デコーダ回路のブロック図である。
【図４】ＢＳ−ＳＴＢとＤ−ＶＨＳとを１３９４ケーブルで接続した接続図である。
【図５】従来のデジタル入力における記録装置のブロック図である。
【図６】ＢＳ−ＳＴＢとＤ−ＶＨＳとをアナログケーブルで接続した接続図である。
【図７】従来のアナログ入力における記録装置のブロック図である。
【図８】デコーダ回路のブロック図である。
【図９】タイムスタンプを付加したＴＳパケットである。
【図１０】エンコーダ回路のブロック図である。
【図１１】従来の記録装置のブロック図である。
【符号の説明】
１００  本発明の第１の実施形態における記録装置
１０１  デジタル入力端子
１０２  デジタルＩ／Ｆ回路
１０３  デコーダ回路
１０３＃  デコーダ回路
１０４  ビットレート変換回路
１０５  選択回路
１０６  エンコーダ回路
１０７  選択回路
１０８  ＴＳ処理回路
１０９  記録回路
１１０  コントローラ回路
１１１  記録媒体
１１２  出力処理回路
１１３  出力端子
１１４  システムデコーダ
１１５  ビデオデコーダ
１１５＃  ビデオデコーダ
１１６  オーディオデコーダ
１１６＃  オーディオデコーダ
１１７  システムエンコーダ
１１８  ビデオエンコーダ
１１９  オーディオエンコーダ
１２０  本発明の第２の実施形態における記録装置
２００  ＢＳ−ＳＴＢ
２０１  Ｄ−ＶＨＳ
２０２  １３９４ケーブル
２０３  従来のデジタル入力における記録装置
２０４  ＢＳ−ＳＴＢ
２０５  アナログケーブル
２０６  従来のアナログ入力における記録装置
２０７  アナログ入力端子
２０８  アナログＩ／Ｆ回路
２０９  従来の記録装置
【図１】
0004355117.tif 000002
【図２】
0004355117.tif 000003
【図３】
0004355117.tif 000004
【図４】
0004355117.tif 000005
【図５】
0004355117.tif 000006
【図６】
0004355117.tif 000007
【図７】
0004355117.tif 000008
【図８】
0004355117.tif 000009
【図９】
0004355117.tif 000010
【図１０】
0004355117.tif 000011
【図１１】
0004355117.tif 000012